(57)【要約】【課題】  公衆モバイル端末を利用して、簡便なシステムで公衆モバイル端末に対して、ＰＢＸの内線サービス等の付加サービスを提供すること。【解決手段】  本発明の一実施形態では、移動通信事業者網を経由して公衆モバイル端末に接続可能な発着信制御装置であって、テーブルに、前記公衆モバイル端末の状態及び呼の状態を格納する状態格納部であって、前記テーブルは、前記公衆モバイル端末の加入者番号に、前記公衆モバイル端末の状態と、内線番号との対応付け、及び呼と前記内線番号との対応付けを有する情報を含む、状態格納部と、前記テーブルに格納された情報に基づいて、前記移動通信事業者網を経由して当該発着信制御装置に接続された前記公衆モバイル端末に関連した、内線に係る付加サービスを制御する付加サービス制御部と、を有する発着信制御装置を提供する。【選択図】図６
2014120976.tif 000002
【特許請求の範囲】
【請求項１】
移動通信事業者網を経由して公衆モバイル端末に接続可能な発着信制御装置であって、
テーブルに、前記公衆モバイル端末の状態及び呼の状態を格納する状態格納部であって、前記テーブルは、前記公衆モバイル端末の加入者番号に、前記公衆モバイル端末の状態と、内線番号との対応付け、及び呼と前記内線番号との対応付けを有する情報を含む、状態格納部と、
前記テーブルに格納された情報に基づいて、前記移動通信事業者網を経由して当該発着信制御装置に接続された前記公衆モバイル端末に関連した、内線に係る付加サービスを制御する付加サービス制御部と、
を有する発着信制御装置。
【請求項２】
前記公衆モバイル端末の加入者番号と、前記テーブルに格納された加入者番号とを比較し、前記テーブルに一致する加入者番号が存在するか否かを判定する判定部、を更に有し、
前記付加サービス制御部は、前記判定部で一致が確認された場合、前記付加サービスの提供のための制御を実行する、
請求項１記載の発着信制御装置。
【請求項３】
前記付加サービス制御部は、前記公衆モバイル端末又は当該発着信制御装置に接続された内線電話から送られた制御情報に基づき、前記付加サービスを制御する、
請求項１又は２記載の発着信制御装置。
【請求項４】
前記付加サービス制御部は、前記公衆モバイル端末が呼を切断した場合であって、前記テーブルを参照して前記公衆モバイル端末が内線を持つ端末であることを示す場合、前記公衆モバイル端末に接続された他の端末と当該発着信制御装置との接続を所定の期間切断せずに保留中とする、請求項３記載の発着信制御装置。
【請求項５】
前記付加サービス制御部は、前記保留中に、前記呼を切断した前記公衆モバイル端末から、保留解除の前記制御情報を受信した場合、前記テーブルの情報に基づいて、前記他の端末を特定し、前記呼を切断した前記公衆モバイル端末と、前記他の端末との接続を復元する、
請求項４記載の発着信制御装置。
【請求項６】
前記付加サービス制御部は、前記保留中に、前記呼を切断した前記公衆モバイル端末から、転送および転送先に関する前記制御情報を受信した場合、前記転送先との呼を設定し、前記テーブルの情報に基づいて、前記保留中の接続を前記転送先と接続する、
請求項４記載の発着信制御装置。
【請求項７】
前記付加サービス制御部は、前記制御情報が、ピックアップを指示する場合、前記テーブルの情報に基づいて、前記ピックアップを指示した端末に、着信中の呼を設定し、前記呼の設定は、前記テーブルにピックアップのグループが設定されている場合には、前記着信中の呼の呼び出し先の端末のグループと、前記ピックアップを指示した端末のグループが一致する場合に許可される、
請求項４記載の発着信制御装置。
【請求項８】
前記付加サービス制御部は、前記制御情報が、キャンプオンを指示する場合、前記テーブルの情報に基づいて、前記キャンプオンを指示した端末と、キャンプオンの対象の端末とを接続する、
請求項４記載の発着信制御装置。
【請求項９】
移動通信事業者網を経由して公衆モバイル端末に接続を可能とする発着信制御のための方法であって、
テーブルに、前記公衆モバイル端末の状態及び呼の状態を格納する段階であって、前記テーブルは、前記公衆モバイル端末の加入者番号に、前記公衆モバイル端末の状態と、内線番号との対応付け、及び呼と前記内線番号との対応付けを有する情報を含む、段階と、
前記テーブルに格納された情報に基づいて、前記移動通信事業者網を経由して発着信制御装置に接続された前記公衆モバイル端末に関連した、内線に係る付加サービスを制御する段階と、
を有する発着信制御のための方法。
【請求項１０】
移動通信事業者網を経由して公衆モバイル端末に接続を可能とする発着信制御のためのプログラムであって、
テーブルに、前記公衆モバイル端末の状態及び呼の状態を格納し、前記テーブルは、前記公衆モバイル端末の加入者番号に、前記公衆モバイル端末の状態と、内線番号との対応付け、及び呼と前記内線番号との対応付けを有する情報を含み、
前記テーブルに格納された情報に基づいて、前記移動通信事業者網を経由して発着信制御装置に接続された前記公衆モバイル端末に関連した、内線に係る付加サービスを制御する、
処理をコンピュータに実行させるプログラム。
【発明の詳細な説明】
【技術分野】
【０００１】
本発明は、通信ネットワークにおける発着信の制御に関する。
【背景技術】
【０００２】
近年、公衆モバイル端末を内線電話としても利用するＰＢＸ（構内交換機）を含む通信システムが普及している。
【０００３】
移動通信事業者の接続サービスを利用する公衆モバイル端末とＰＢＸの両方を利用する構成の例を以下に示す。
【０００４】
図１で、ＰＢＸ１１０は構内交換機、ＥＸ−ＴＥＬ（１２０、１２２）はＰＢＸの内線電話機、ＢＳ（１１２、１１４）は自営ＰＨＳを利用するための自営用基地局、ＰＳＴＮ１０６は固定公衆網、ＴＥＬ１０８は加入者電話機、Ｐ−ＰＨＳ１０４は公衆ＰＨＳ網、ＣＳ１０２は公衆ＰＨＳの基地局、ＰＳ（１３０、１３２）は公衆ＰＨＳ（ＣＳとの接続）、及び自営ＰＨＳ（ＢＳとの接続）の両方が可能なＰＨＳ端末である。
【０００５】
図１では、ＰＳ１３０を事務所の外で利用する場合は、公衆ＰＨＳ端末として利用し、事業所内で利用する場合は、自営ＰＨＳのモードでＰＢＸ１１０の内線端末として利用可能である。
【０００６】
図２は、公衆モバイル端末として、３Ｇ等の携帯端末を利用した場合であり、ＭＴ２１０は携帯端末、ＭＶＮ２３０は携帯電話網、ＲＦＥ２２０はアンテナ設備である。
【０００７】
図２では、事務所の外では、携帯端末ＭＶＮ２３０を利用し、事務所内では、事業所用のＰＨＳ端末ＰＳ１３０を内線として利用する。
【０００８】
しかしながら、図１及び図２のいずれにおいても、自営ＰＨＳの基地局等の設備（ＢＳ１１２、ＢＳ１１４）を用意する必要がある。また、図２における例では、事務所の内外で、２つの別個の端末（ＰＳ１３０とＭＴ２１０）が必要である。
【０００９】
公衆ＰＨＳ網と公衆基地局の間にＰＢＸを配置し、ＰＢＸに登録された公衆ＰＨＳ番号に関する接続を内線接続にする技術が存在する（例えば、特許文献１参照）。
【００１０】
また、ＰＨＳの基地局を収容したＰＢＸで、同一のＰＳに複数の内線番号を与え、或いは複数のＰＳに同一の内線番号を与え、専用のＰＳ識別情報を用いて、ＰＳ、及びＰＢＸのそれぞれでこのＰＳ識別情報を基に接続、及び状態管理を行う技術が存在する（例えば、特許文献２参照）。
【先行技術文献】
【特許文献】
【００１１】
【特許文献１】特開平０８−０５１０５７号公報
【特許文献２】特開２００２−０３４０６３号公報
【発明の概要】
【発明が解決しようとする課題】
【００１２】
本発明の一側面では、公衆モバイル端末を利用して、簡便なシステムで公衆モバイル端末に対して、ＰＢＸの内線サービス等の付加サービスを提供することを目的とする。
【課題を解決するための手段】
【００１３】
本発明の一実施形態では、移動通信事業者網を経由して公衆モバイル端末に接続可能な発着信制御装置であって、テーブルに、前記公衆モバイル端末の状態及び呼の状態を格納する状態格納部であって、前記テーブルは、前記公衆モバイル端末の加入者番号に、前記公衆モバイル端末の状態と、内線番号との対応付け、及び呼と前記内線番号との対応付けを有する情報を含む、状態格納部と、前記テーブルに格納された情報に基づいて、前記移動通信事業者網を経由して当該発着信制御装置に接続された前記公衆モバイル端末に関連した、内線に係る付加サービスを制御する付加サービス制御部と、を有する発着信制御装置を提供する。
【発明の効果】
【００１４】
一実施形態によれば、公衆モバイル端末に対して、PBXの内線サービス等の付加サービスを提供することが可能になる。
【図面の簡単な説明】
【００１５】
【図１】従来技術を示す図である
【図２】他の従来技術を示す図である。
【図３】一実施形態の構成を示す図である。
【図４】一実施形態のタイミングを示す図である。
【図５】一実施形態のタイミングを示す図である。
【図６】他の実施形態の構成を示す図である。
【図７】一実施形態の保留／保留解除のタイミングを示す図である。
【図８】一実施形態の転送のタイミングを示す図である。
【図９】一実施形態のピックアップのタイミングを示す図である。
【図１０】一実施形態のピックアップのタイミングを示す図である。
【図１１】一実施形態のキャンプオンのタイミングを示す図である。
【図１２】一実施形態のキャンプオンのタイミングを示す図である。
【図１３】一実施形態の機能ブロック図である。
【図１４】一実施形態の処理フローを示す図である。
【図１５】一実施形態のハードウェア構成図である。
【発明を実施するための形態】
【００１６】
以下における本発明の各種実施形態では、主に、発着信制御装置の例としてＰＢＸ（構内交換機）を取り上げて説明するが、各種実施形態におけるＰＢＸは、インターネットなどのネットワーク中に存在していてもよい。また、対象とする回線は、無線通信や、有線の電話通信に限られず、インターネット電話や、インターネットなどを用いたその他の通信に用いることができることは言うまでもない。また、本発明の各種実施形態は、音声通話のみを対象とするものではなく、画像、その他のコンテンツの通信に用いられてもよい。加えて、本発明は、本明細書で例示した実施形態の通信に係るプロトコルに限定されるものではない。また、本発明の各種実施形態は、物理的に特定の場所や特定のマシンに存在する必要はなく、ネットワーク上に分散された形で実現されてもよい点に留意すべきである。
【００１７】
図３は、公衆モバイル端末を事務所内でも利用する例を示している。
【００１８】
図３の場合、予め、ＰＢＸ１１０には、内線からＰＳへの可変不在転送を利用し、可変不在転送テーブル３１０に登録しておく。このため、可変不在転送テーブル３１０に、可変不在転送を行う内線番号（ＤＮ３１２）と、この内線番号の可変不在転送先の公衆ＰＨＳの加入者番号（ＴＲＳ３１４）とを登録しておく。
【００１９】
また、呼管理テーブル３２０には、呼の生成時に呼管理番号（ＣＤＮ３２２）が採番され、このＣＤＮ３２２に対応させて、呼に関する情報が保存される。図３では、呼生起側の接続先（ＯＲＧ３２４）と呼終端側の接続先（ＴＲＭ３２６）の情報が呼管理テーブルに含まれる例を示している。
【００２０】
図４は、図３の構成での、ＰＳ１３０からの発信の例を示している。
【００２１】
図４で、ＰＳ１３０は、公衆ＰＨＳ基地局（ＣＳ１０２）に送信する呼設定メッセージの着番号（Ａ：）にＰＢＸ１１０の固定網の回線番号（０４４１１１１２２２２）を、また、ＰＢＸ１１０着信後の接続先番号を着サブアドレス（ＳＡ：）に設定して発信を行う。また、この例では、内線電話機３００１に対応するＰＳの発呼であるため、発番号（Ｏ−Ａ）に（０７０１１１１３００１）が設定されている。
【００２２】
ＰＳ１３０の利用者は、ＰＳ１３０を用いて、例えば、ＰＢＸ１１０の固定網の回線番号を予め電話帳等に登録し、これを読み出した後に着サブアドレスを示す「＊」および着サブアドレスに乗せる情報を付加して発信する等の操作により、上記の呼設定メッセージを送信してもよい。
【００２３】
発番号は、回線契約時にＰＳ１３０に書き込まれており、自動的に設定される。
【００２４】
この呼設定４０２ａの情報は、ＰＳＴＮ１０６経由でＰＢＸ１１０が呼設定４０２ｂを受信し、着サブアドレスの情報を処理することにより、先頭の「０」で局線発信が決定し、その後のアドレスが着アドレスとしてＰＳＴＮ１０６に呼設定４０２ｃとして送信され、接続先（ＴＥＬ）が応答することによりＰＳ１３０とＴＥＬ１０８との接続が完了する。
【００２５】
図４の詳細は以下の通りである。なお、Ｐ−ＰＨＳ／ＰＳＴＮと表記されている部分は、Ｐ−ＰＨＳとＰＳＴＮを経由することを意味している。この点は、他の図においても同様である。呼設定（ＳＥＴＵＰ４０２ａ、４０２ｂ、４０２ｃ）に対して、それぞれ呼設定受付（ＣＡＬＬ  ＰＲＯＣ４０４ａ、４０４ｂ、４０４ｃ）が返される。なお、この際に、ＰＢＸ１１０からＰＳＴＮ１０６に対して、局線発信接続４０１がなされる。ＰＳＴＮ１０６からは、ＴＥＬ１０８に対し、着信信号４０８が送られ、呼出（ＡＬＥＲＴ４０６ｃ、４０６ｂ、４０６ａ）がＰＳ１３０に送られる。これによって、呼出音４１０が、ＰＳＴＮ１０６からＰＳ１３０に送られる。ＴＥＬ１０８が応答４１１をＰＳＴＮ１０６に返すと、応答（ＣＯＮＮ４１２ｃ、４１２ｂ、４１２ａ）がＰＳ１３０に送られる。これに対して、それぞれ応答確認（ＣＯＮＮ  ＡＣＫ４１４ｂ、４１４ｃ）が返されると共に、呼出音停止４１６がなされる。その後通話中４１８の状態となる。
【００２６】
この接続の際、ＰＢＸ１１０は、ＣＤＮ３３２に、この呼を対応付け、ＣＤＮ＝ｎの情報として、呼生起側の固定網回線収容トランクの回線番号（ＴＲＫａ）がＯＲＧ３２４に設定され、呼終端側の固定網回線収容トランクの回線番号（ＴＲＫｂ）がＴＲＭ３２６に設定される。
【００２７】
なお、ＰＢＸ１１０が受信する着サブアドレスの情報が、内線番号の場合は、ＰＢＸ１１０の内線に接続される。
【００２８】
また、呼切断時は、ＯＲＧ３２４の接続先、又はＴＲＭ３２６の接続先から切断信号を受信するため、呼管理テーブル３２０を参照し、接続中の呼を検出し、ＯＲＧ３２４、ＴＲＭ３２６の接続先の解放処理を行う。これにより、呼が切断され、その際、ＣＤＮ＝ｎの情報はクリアされて、ＣＤＮ＝ｎが解放される。
【００２９】
なお、詳細には、ＰＳ１３０から切断（ＤＩＳＣ４２０ａ、４２０ｂ、４２０ｃ）がＰＳＴＮ１０６に送られ話中音４２４がＴＥＬ１０８に送られる。なお、これに伴い、それぞれ解放（ＲＥＬ４２２ａ、４２２ｂ、４２２ｃ）が送られる。そして、各区間で解放（ＲＥＬ４２２ａ、４２２ｂ、４２２ｃ）に対して解放完了（ＲＥＬ  ＣＯＭＰ４２６ａ、４２６ｂ、４２６ｃ）が送られる。ＴＥＬ１０８は、切断４２８をＰＳＴＮ１０６に送ることにより空き状態になる。
【００３０】
図５は、図３の構成での、ＰＳ１３０への着信の例を示している。
【００３１】
図５で、ＰＳＴＮ１０６の加入者電話（ＴＥＬ１０８）が、ＰＢＸ１１０の内線電話機３００１に対応するダイヤルインの番号により発信すると、ＰＢＸ１１０は、ＰＳＴＮ１０６からこの着番号を受信し、内線電話機３００１への着信と判定する。そして、内線電話機３００１が公衆ＰＨＳの番号に転送されるよう可変不在転送の登録が行われているため、ＰＳＴＮ１０６経由で公衆ＰＨＳ配下のＰＳ１３０に発信される。ＰＳ１３０が応答することにより、ＴＥＬ１０８とＰＳ１３０との接続が完了する。
【００３２】
なお、詳細には、ＴＥＬ１０８は、発信５０２を開始し、（０４４２２２２３００１）をダイヤル５０４としてＰＳＴＮ１０６に送る。ＰＳＴＮ１０６は、呼設定（ＳＥＴＵＰ５０６ｃ、５０６ｂ、５０６ａ）をＰＳ１３０に送る。これに対して、それぞれ呼設定受付（ＣＡＬＬ  ＰＲＯＣ５０８ｃ、５０８ｂ、５０８ａ）が返される。その際、ＰＢＸ１１０は、上述のように可変不在転送が登録されているため、ＰＳ１３０への自動転送を行うべく、呼設定ＳＥＴＵＰ５０６ｂにおいて、ＰＣ１３０の番号である（０７０１１１１３００１）を送る。その後、ＰＣ１３０から呼出（ＡＬＥＲＴ４１０ａ、５１０ｂ、５１０ｃ）がＰＳＴＮ１０６に送られる。そして、Ｐ−ＰＨＳ１０４からＴＥＬ１０８に呼出音５１２が送られる。ＰＳ１３０が、応答（ＣＯＮＮ５１４ａ、５１４ｂ、５１４ｃ）をＰＳＴＮ１０６に送り、それぞれ応答確認（ＣＯＮＮ  ＡＣＫ５１６ａ、５１６ｂ、５１６ｃ）が返されると共に、呼出音停止５１８がなされる。そして、通話中５２０となる。
【００３３】
加えて、ＴＥＬ１０８から切断５２１がＰＳＴＮ１０６になされる。その後ＰＳＴＮ１０６からＰＳ１３０に切断（ＤＩＳＣ５２２ｃ、５２２ｂ、５２２ａ）が送信され、Ｐ−ＰＨＳ１０４からＰＳ１３０に話中音５２５が送られる。また、それぞれ解放（ＲＥＬ５４２ｃ、５４２ｂ）及び解放完了（ＲＥＬ  ＣＯＭＰ５４２ｃ、５４２ｂ）が送られる。その後、ＰＳ１３０とＰ−ＰＨＳ１０４との間で、解放（ＲＥＬ５２８）及び解放完了（ＲＥＬ  ＣＯＭＰ５３０）が交換される。
【００３４】
なお、内線電話機２０００から内線電話機３００１に対して発信した場合も同様に、公衆ＰＨＳ配下のＰＳ１３０に接続される。
【００３５】
上述のようにＰＳ１３０への着信の場合におけるＣＤＮ３２２の採番、及び呼管理テーブル３２０の処理は、上述のＰＳ１３０からの発信の場合と同様に行われる。
【００３６】
なお、図３に示す公衆モバイル端末とＰＢＸ１１０との接続では、公衆モバイル端末が移動通信事業者網経由の接続になるため、ＰＢＸ１１０において公衆モバイル端末の状態が管理できない。あるいは、公衆モバイル端末の通話中において、公衆モバイル端末が呼を制御する情報をＰＢＸ１１０に送信できない。このため、保留／転送、ピックアップ、キャンプオンといったＰＢＸ１１０の付加サービスは利用できない。
【００３７】
したがって、公衆モバイル端末とＰＢＸ１１０の接続に関し、公衆モバイル端末、及び移動通信事業者網の機能追加を行うこと無く、公衆モバイル端末に関して、ＰＢＸ１１０の付加サービスを利用可能にすることが望ましい。
【実施例】
【００３８】
図６は、本発明の一実施形態の構成を示している。
【００３９】
図６で、ＤＮ６１２は内線番号、ＰＵＢＮ６１４はＰＳ１３０の公衆ＰＨＳの加入者番号、ＳＴＡＴ６１６はＰＳ１３０の状態、ＰＵＧ６１８はピックアップグループの情報、ＨＴＧ６１９は内線代表グループの情報である。ＳＴＡＴ６１６は、空き状態は「０」であるが、固定回線経由で接続されるＰＳ１３０の状態が変わる毎に情報が更新される。ＰＵＧ６１８、ＨＴＧ６１９は、内線電話機と同一のグループの構成が可能である。
【００４０】
図６の実施形態は、呼管理テーブル６３０に発信側がＰＳ管理情報に登録されているＰＳ１３０であった場合にこの内線番号をＯ−ＰＳ６３８に設定する。着信側がＰＳ管理情報に登録されているＰＳ１３０であった場合にこの内線番号をＴ−ＰＳ６３９に設定する。
【００４１】
そして、図４のように、ＰＳ１３０からの発信が発生した場合、ＰＢＸ１１０は、ＳＥＴＵＰの発番号（Ｏ−Ａ）に（０７０１１１１３００１）が設定されているため、ＰＳ管理情報が登録されているＰＳ１３０であると判断する。そして、呼管理テーブル６３０のＯ−ＰＳ６３８に、対応する内線番号の（３００１）を設定すると共に、ＰＳ管理情報６１０の対応する内線番号のＳＴＡＴ６１６の欄に１（発信中）を設定する。なお、ＳＴＡＴに格納する値と状態との対応関係の例を対応表６２０に示す。
【００４２】
また、図５のような、ＰＳ１３０への着信の場合は、ＰＢＸ１１０が受信した呼設定ＳＥＴＵＰメッセージの着アドレスから内線番号３００１へのダイヤルイン着信であると判定する。この内線番号３００１は、ＰＳ管理情報６１０に登録されている内線番号であるため、固定網回線経由で着信があると、０７０１１１１３００１に転送される。その際、呼管理テーブル６３０のＴ−ＰＳ６３９に、対応する内線番号（３００１）を設定すると共に、ＰＳ管理情報６１０の対応する内線番号ＤＮ６１２のＳＴＡＴ６１６に２（着信中）を設定してもよい。
【００４３】
ＰＳ管理情報６１０に登録されているＰＳ１３０に関連する呼が終了する場合は、呼管理テーブル６３０のＯＲＧ６３４、又はＴＲＭ６３６の接続先から呼の切断を検出する。その際、Ｏ−ＰＳ６３８、又はＴ−ＰＳ６３９にＰＳ管理情報に登録されているＰＳ１３０の内線番号が設定されていれば、対応するＯＲＧ６３４、ＴＲＭ６３６の接続先を解放すると共に、ＰＳ管理情報６１０の対応する内線番号のＳＴＡＴ６１６を０（空き）に変更する。
【００４４】
このように、ＰＢＸ１１０は、ＰＳ管理情報６１０に登録されているＰＳ１３０の呼が発生、変化、又は終了すると、その都度、ＰＳ管理情報６１０、又は呼管理テーブル６３０を用いて、ＰＳ管理情報６１０に登録されている内線番号であることを認識することができる。そして、ＰＳ管理情報６１０のＳＴＡＴ６１６の状態を更新する。
【００４５】
以下、図６の構成例を用いて、各付加サービスの実施形態について説明する。
【００４６】
図７は、保留／保留解除の実施形態である。
【００４７】
ＰＳ１３０が通話中７０２において切断すると、ＰＢＸ１１０は自動的に接続相手を保留し（７０１）接続相手に対して保留音７０５を送出してもよい。
【００４８】
即ち、ＰＢＸ１１０は、固定網回線からの切断（７０４ｂ）を検出すると、この固定回線収容トランクの回線番号から、呼管理テーブル６３０により、呼管理番号（ＣＤＮ６３２）がわかる。このＣＤＮ６３２に登録されている、Ｏ−ＰＳ６３８、又はＴ−ＰＳ６３９にＰＳ管理情報６１０に登録されている内線番号が設定されているか否かをチェックできる。呼管理テーブル６３０に登録されている切断元（ＯＲＧ６３４、又はＴＲＭ６３６）に対応するＯ−ＰＳ６３８又はＴ−ＰＳ６３９に内線番号が格納されている場合には、自動的に、接続相手を所定の時間保留してもよい。そして、ＰＳ管理情報６１０の対応する内線番号の状態（ＳＴＡＴ）を４（保留中）に変更する。なお、呼管理テーブル６３０に登録されている切断元（ＯＲＧ６３４、又はＴＲＭ６３６）に対応するＯ−ＰＳ６３８又はＴ−ＰＳ６３９に内線番号が登録されていない場合は、保留をせずに、呼の解放を行なってもよい。
【００４９】
この保留中に、保留したＰＳ１３０と同じ発番号の着信があり、この着信情報の着サブアドレスに保留解除の指示に相当する特番１６が設定されていた場合、保留は解除され、元の通話状態に戻る処理を行ってもよい。
【００５０】
即ち、ＰＢＸ１１０は、ＳＥＴＵＰメッセージ（７１２ａ）に含まれる発番号が、ＰＳ管理情報６１０に登録されている公衆ＰＨＳ番号（０７０１１１１３００１）であるため、ＰＳ管理情報６１０に登録されている内線番号（３００１）のＰＳ１３０の発信であることを検出する。加えて、着サブアドレスに保留解除特番１６が設定されていることを検出する。この場合、ＰＳ管理情報６１０により、この内線番号（３００１）の状態が保留中（ＳＴＡＴ＝４）であることを認識した場合、呼管理テーブル６３０により、Ｏ−ＰＳ６３８、又はＴ−ＰＳ６３９に、この内線番号（３００１）が設定されているＣＤＮ６３２を検出する。そして、ＰＳ１３０からの着信があった固定網回線収容トランクの回線番号をＣＤＮ６３２の内線３００１が設定されている、ＯＲＧ６３４、又はＴＲＭ６３６に設定し、ＰＳ管理情報６１０の対応する内線番号のＳＴＡＴ６１６を３（通話中）に変更する。そして、ＰＳ１３０と保留音聴取中であった接続相手とのパスを接続する。
【００５１】
なお、ＰＳ１３０からの発信時、着サブアドレスに保留解除特番１６を設定するのは、例えば図４において、着サブアドレスに接続先の番号を設定する方法と同じ手順で設定してもよい。
【００５２】
上記保留中にＰＳ１３０からの保留解除の要求が無くタイムアウトが発生した場合は、保留中の相手に切断を促す話中音を送出し、呼を解放する処理を行ってもよい（不図示）。
【００５３】
この場合には、ＰＳ管理情報６１０の対応する内線番号のＳＴＡＴ６１６を０（空き）に変更する。
【００５４】
なお、保留中にタイムアウトが発生した場合、呼び返し等の処理を行ってもよい。
【００５５】
図７の詳細は以下の通りである。
【００５６】
ＰＳ１３０とＴＥＬ１０８が通話中７０２である場合を想定する。なお、以下の説明では、分かりやすさのためと重複した説明を避けるため、ＰＳ管理情報６１０と呼管理テーブル６３０の更新処理については省略する。その他の実施形態の説明においても同様のパターンで説明する。
【００５７】
ＰＳ１３０から切断（ＤＩＳＣ７０４ａ、７０４ｂ）がＰＢＸ１１０に送られる。この後のタイミング７０１で、ＰＢＸ１１０は、ＴＥＬ１０６に対しては呼の解放を行わず保留としてもよい。このため、保留音７０５をＴＥＬ１０６に送ってもよい。そして、所定の時間が設定されたタイマＴのカウントダウンを開始してもよい（７１０）。これに対して、ＰＳ１３０とＰＢＸ１１０との間では、解放（ＲＥＬ７０６ａ、７０６ｂ）、解放完了（ＲＥＬ  ＣＯＭＰ７０８ａ、７０８ｂ）が交換され、呼の解放がなされてもよい。このように、呼の解放が行われた後は、ＰＳ１３０は、他の通信等を行うことができる。
【００５８】
その後、ＰＳ１３０が、保留解除を希望する場合には、以下の処理が行われる。ＰＳ１３０から呼設定（ＳＥＴＵＰ７０２ａ、７０２ｂ）がＰＢＸ１１０に送られる。その際、ＰＳ１３０は、着サブアドレスＳＡに、保留解除の指示１６を設定してもよい。そして、それぞれ呼設定受付（ＣＡＬＬ  ＰＲＯＣ７１４ａ、７１４ｂ）が返される。ＰＢＸ１１０は、タイマのタイムアウト前に、呼設定ＳＥＴＵＰ７０６ｂを受信したＰＳ１３０に対して応答（ＣＯＮＮ７１６ｂ、７１６ａ）を返してもよい。そして、応答確認ＣＯＮＮ  ＡＣＫ７１８が返される。また、ＴＥＬ１０８に対しては、保留音停止７１７を実行する。そして、ＰＢＸ１１０は、ＰＳ１３０とＴＥＬ１０８との間の通話を再開させる（通話中７２０）。
【００５９】
図８は、転送の実施形態である。
【００６０】
ＰＳ１３０と通話中の呼が保留になるのは、図７と同様である。保留中に通話中であったＰＳ１３０と同じ発番号の着信があり、この着信情報の着サブアドレスに転送を示す特番１７と転送先の番号が設定されていた場合、転送の処理を行ってもよい。
【００６１】
即ち、ＰＢＸ１１０は、転送先を呼び出すと共に、ＰＳ管理情報６１０の対応する内線番号のＳＴＡＴ６１６を１（発信中）に変更し、転送先が応答すると、このＳＴＡＴ６１６を３（通話中）に変更すると共に、従来処理と同様に転送の処理を行う。
【００６２】
なお、ＰＳ１３０からの発信時、着サブアドレスに転送特番１７、及び転送先の番号を設定するのは、例えば図４において、着サブアドレスに接続先の番号を設定する方法と同じであってもよい。
【００６３】
図８の詳細は以下の通りである。
【００６４】
ＰＳ１３０とＴＥＬ１０８が通話中８０２である場合を想定する。なお、以下の説明では、分かりやすさのためと重複した説明を避けるため、ＰＳ管理情報６１０と呼管理テーブル６３０の更新処理については省略する。
【００６５】
ＰＳ１３０からの切断（８０２ａ、８０２ｂ）、自動的に保留８０１、ＰＢＸ１１０からＴＥＬ１０８への保留音８０４、解放（ＲＥＬ８０６ａ、８０６ｂ）、タイマＴカウントダウン８１０、解放完了（ＲＥＬ  ＣＯＭＰ８０８ａ、８０８ｂ）については、図７の説明と同様である。
【００６６】
以上の処理で、ＰＳ１３０は、転送先である内線電話機２０００との通話のための処理を開始できる。まず、ＰＳ１３０から呼設定（ＳＥＴＵＰ８１２ａ、８１２ｂ）をＰＢＸ１１０に送る。それぞれ、呼設定受け付け（ＣＡＬＬ  ＰＲＯＣ８１４ａ、８１４ｂ）が返される。ＰＢＸ１１０から呼出（ＡＬＥＲＴ８１０ｂ、８１６ａ）がＰＳ１３０に送られる。そして、ＰＢＸ１１０から内線電話機２０００に着信する（８１８）。内線電話機２０００がＰＢＸ１１０に応答８２０を返すと、ＰＢＸ１１０は応答（ＣＯＮＮ８２２ｂ、８２２ａ）をＰＳ１３０に送る。応答確認ＣＯＮＮ  ＡＣＫ８２３がＰＢＸ１１０に返される。そして、ＰＳ１３０と内線電話機２０００が通話中８２４となる。ここで、ＰＳ１３０の話者が、内線電話機２０００番の話者に、ＴＥＬ１０８の通話を転送する旨伝える等を行ってもよい。その後、ＰＳ１３０は、切断（ＤＩＳＣ８２６ａ、８２６ｂ）をＰＢＸ１１０に送る。これに対して、それぞれ解放（ＲＥＬ８２８ａ、８２８ｂ）、及び解放完了（ＲＥＬ  ＣＯＭＰ８３０ａ、８３０ｂ）が、ＰＳ１３０とＰＢＸ１１０との間で交換される。ＰＢＸ１１０は、ＲＥＬ８２８ｂを送った後に、保留音停止８２９をＴＥＬ１０８に対して実行する。その後、ＰＢＸ１１０は、内線電話機２０００とＴＥＬ１０８の通話を開始させる（通話中８４０）。
【００６７】
図９は、内線電話機に着信中の呼をＰＳ１３０からピックアップする場合の実施形態である。ピックアップとは、他の内線電話が着信中の呼を、別の内線電話から応答させ呼を設定する処理を言う。
【００６８】
内線電話機２０００とＰＳ１３０（内線電話機３００１）は同一のピックアップグループ（Ｇ１）に設定されている。
【００６９】
なお、内線電話機２０００及び他の内線電話機に対してピックアップグループを設定しておいてもよい。ピックアップグループは、例えば、ＰＳ管理情報６１０のＰＵＧ６１８で設定してもよい。なお、着信状態の管理は、ＳＴＡＴ６１６において管理してもよい。なお、内線のピックアップグループの管理については、従来から存在する技術を用いてもよい。
【００７０】
ＰＳＴＮ１０６の加入者電話機（ＴＥＬ１０８）から内線電話機２０００に対応したダイヤルインの番号で発信があり、内線電話機２０００が着信中である場合を想定する。ＰＳＴＮ１０６から内線電話機３００１に対応した公衆ＰＨＳの加入者番号（０７０１１１１３００１）が発番号に設定され、着サブアドレスにピックアップの特番１２が設定された着信があると、ＰＢＸ１１０は、内線電話機２０００の着信を停止し、ＴＥＬ１０８とＰＳ１３０との接続を行う。
【００７１】
即ち、ＰＢＸ１１０は、固定網回線から受信するＳＥＴＵＰメッセージ（ＳＥＴＵＰ９１６ｂ）の発番号（Ｏ−Ａ）にＰＳ管理情報６１０に登録されている公衆ＰＨＳ番号（０７０１１１１３００１）が設定されているため、ＰＳ管理情報６１０に登録されているＰＳ１３０からの発信であることを検出する。そして、着サブアドレスにピックアップ特番１２が設定されていることを検出する。このため、内線番号３００１に対応するピックアップグループ（Ｇ１）と同じピックアップグループ内の着信であるかを確認する。そして、同一ピックアップグループの内線電話機２０００が着信中であることを検出する。そして、ＰＳ１３０と、固定網回線経由で着信中の固定網回線トランクとを接続する。着信処理中であった内線電話機２０００を空き状態にする。そして、ＰＳ管理情報６１０の対応する内線番号（３００１）のＳＴＡＴ６１６を３（通話中）に変更する。
【００７２】
なお、ＰＳ１３０からの発信時、着サブアドレスにピックアップ特番１２を設定するのは、例えば図４において、着サブアドレスに接続先の番号を設定する方法と同じであってもよい。
【００７３】
図９の詳細は以下の通りである。なお、以下の説明では、分かりやすさのためと重複した説明を避けるため、ＰＳ管理情報６１０と呼管理テーブル６３０の更新処理については省略する。
【００７４】
ＴＥＬ１０８から内線電話機２０００に呼が着信する場合を想定する。
【００７５】
まず、ＴＥＬ１０８は、発信９０２を開始し、（０４４２２２２２０００）をダイヤル９０４としてＰＳＴＮ１０６に送る。ＰＳＴＮ１０６は、呼設定ＳＥＴＵＰ９０６をＰＢＸ１１０に送る。ＰＢＸ１１０は、呼設定受付ＣＡＬＬ  ＰＲＯＣ９０８を返す。ＰＢＸ１１０から内線電話機２０００に着信９１０がなされている。ＰＢＸ１１０は、呼出ＡＬＥＲＴ９１２をＰＳＴＮに送る。そして、ＰＢＸ１１０からＴＥＬ１０８に呼出音９１４が送られる。
【００７６】
この状態で、呼が内線電話機２０００に着信している。ＰＳ１３０は、呼設定（ＳＥＴＵＰ９１６ａ、９１６ｂ）をＰＢＸ１１０に送る。この際に、ピックアップの特番１２を着サブアドレスに格納しておく。それぞれ、呼設定受付（ＣＡＬＬ  ＰＲＯＣ９１８ａ、９１８ｂ）が返される。この時点で、ＰＢＸ１１０は、ピックアップ処理９０１を実行する。ピックアップすることが可能であれば、応答（ＣＯＮＮ９２０ｂ、９２０ａ）をＰＳ１３０に送り、応答確認ＣＯＮＮ  ＡＣＫ９２２がＰＢＸ１１０に返されると共に、ＰＢＸ１１０から内線電話機２０００への着信停止９２４が行われる。そして、ＰＢＸ１１０は、ＰＳ１３０とＴＥＬ１０８との通話を開始させる（通話中９３０）。
【００７７】
図１０は、ＰＳ１３０に着信中の呼をＰＢＸ１１０の内線電話機２０００からピックアップする場合の実施形態である。
【００７８】
上記と同様に、内線電話機２０００とＰＳ１３０（内線３００１）は同一のピックアップグループ（Ｇ１）に設定されていると仮定する。
【００７９】
ＰＳＴＮ１０６の加入者電話機ＴＥＬ１０８から内線電話機３００１に対する着信があると想定する。ＰＢＸ１１０はＰＳ管理情報６１０をもとに、ＰＳＴＮ１０６経由でＰＳ１３０を呼び出すと共に、ＰＳ管理情報６１０の内線電話機３００１に対応するＳＴＡＴ６１６を着信中「２」に更新する。
【００８０】
この状態で、内線電話機２０００から、発信があり、ピックアップ特番１２がダイヤルされると、同一ピックアップグループの内線電話機３００１（ＰＳ１３０）が着信中のため、ＰＳ１３０への着信を停止し、ＰＳ１３０への発信者であるＴＥＬ１０８と内線電話機との接続を行う。
【００８１】
即ち、ＰＢＸ１１０は、ピックアップ特番をダイヤルした内線電話機２０００と同じピックアップグループ（Ｇ１）内の内線電話機３００１に対応するＰＳ１３０が着信中である。この着信をＰＳ管理情報６１０の対応する内線番号（３００１）のＳＴＡＴ６１６が２（着信中）であることから検出する。このため、内線電話機２０００と着信中の固定網回線トランクを接続する。そして、ＰＳ１３０を呼出している固定網回線トランクの呼を解放する。
【００８２】
また、ＰＳ管理情報６１０の内線電話機３００１に対応するＳＴＡＴ６１６を空き「０」に更新する。
【００８３】
図１０の詳細は以下の通りである。なお、以下の説明では、分かりやすさのためと重複した説明を避けるため、ＰＳ管理情報６１０と呼管理テーブル６３０の更新処理については省略する。
【００８４】
ＴＥＬ１０８からＰＳ１３０に呼が着信する場合を想定する。
【００８５】
まず、ＴＥＬ１０８は、発信１００２を開始し、（０４４２２２２３００１）をダイヤル１００４としてＰＳＴＮ１０６に送る。ＰＳＴＮ１０６は、呼設定（ＳＥＴＵＰ１００６ｃ、１００６ｂ、１００６ａ）をＰＳ１３０に送る。それぞれ、呼設定受付（ＣＡＬＬ  ＰＲＯＣ１００８ｃ、１００８ｂ、１００８ａ）が返される。その後、ＰＳ１３０からＰＳＴＮ１０６に、呼出（ＡＬＥＲＴ１０１０ａ、１０１ｂ、１０１０ｃ）が送られると共に、Ｐ−ＰＨＳ１０４からＴＥＬ１０８に呼出音１０１２が送られる。
【００８６】
この状態で、ＴＥＬ１０８からＰＳ１３０に呼の着信がなされている。内線電話機２０００は、発信１０２２を開始し、ダイヤル特番１２をＰＢＸ１１０に送る。ＰＢＸ１１０では、ピックアップ処理１００１を実行する。ピックアップすることが可能であれば、接続完了１０２６を内線電話機２０００に送る。ＰＢＸ１１０は、ＰＳＴＮ１０６に、応答ＣＯＮＮ１０２８を送り、応答確認１０３１を受信する。また、ＰＢＸ１１０は、ＰＳ１３０との間の呼を解放するために、解放（ＲＥＬ１０３０ｂ、１０３０ａ）をＰＳ１３０に送る。それぞれ、解放完了（ＲＥＬ  ＣＯＭＰ１０３２ｂ、１０３２ａ）が返される。そして、ＴＥＬ１０８と内線電話機２０００との通話が行われる（通話中１０４０）。
【００８７】
図１１は、話中の内線電話機（ＥＸ−ＴＥＬ）に対してＰＳ１３０からキャンプオン（待ち合わせ）の登録を行う場合の実施形態である。キャンプオンとは、他の相手と通話中の内線を登録することにより、通話終了時にその登録した内線を呼び返し、通話中であった相手との接続を可能にする機能を言う。
【００８８】
まず、ＰＳ１３０から話中の内線電話機２０００に発信した場合、話中となるため、一旦、ＰＳ１３０は呼を解放し、キャンプオンの機能を示す特番１５とキャンプオンを行う内線番号（２０００）を着サブアドレスに設定してＰＢＸ１１０に対して発信を行う。
【００８９】
なお、ＰＳ１３０からの発信時、着サブアドレスにキャンプオン特番１５とキャンプオンを行う内線番号（２０００）を設定するのは、例えば図４において、着サブアドレスに接続先の番号を設定する方法と同じであってもよい。
【００９０】
ＰＢＸ１１０は、この着信を受けると、内線電話機２０００が話中であることを確認し、発番号に対応する内線電話機３００１から内線電話機２０００へのキャンプオンを登録する。そして、内線電話機３００１のＰＳ管理情報６１０のＳＴＡＴ６１６を「６」に更新する。ＰＳ１３０に対して、キャンプオン登録の受付確認音を送出する。これに対してＰＳ１３０はキャンプオン登録の呼を解放する。
【００９１】
その後、内線電話機２０００が空き状態になると、ＰＢＸ１１０はＰＳ１３０の呼び返しを行う。ＰＳ１３０がこれに応答すると、内線電話機２０００（ＥＸ−ＴＥＬ）を呼出し、この内線が応答することにより、ＰＳ１３０と内線電話機２０００との接続が完了する。
【００９２】
図１１の詳細は以下の通りである。なお、以下の説明では、分かりやすさのためと重複した説明を避けるため、ＰＳ管理情報６１０と呼管理テーブル６３０の更新処理については省略する。
【００９３】
内線電話機２０００が話中である場合を想定する。まずＰＳ１３０から呼設定（ＳＥＴＵＰ１１０２ａ、１１０２ｂ）をＰＢＸ１１０に送る。それぞれ、呼設定受付（ＣＡＬＬ  ＰＲＯＣ１１０４ａ、１１０４ｂ）が返される。内線電話機２０００が話中であるため、ＰＢＸ１１０からＰ−ＰＨＳ１０４に解放完了ＲＥＬ  ＣＯＭＰ１１０６が送られ、ＰＳ１３０に切断ＤＩＳＣ１１０８が送られる。ＰＳ１３０からは、解放ＲＥＬ１１１０がＰ−ＰＨＳ１０４に送られ、解放完了ＲＥＬ  ＣＯＭＰ１１１２が返される。この処理によって、ＰＳ１３０からの呼は解放された状態となる。
【００９４】
ＰＳ１３０がキャンプオンを希望する場合の処理を以下に示す。
【００９５】
ＰＳ１３０は、呼設定（ＳＥＴＵＰ１１１４ａ、１１１４ｂ）をＰＢＸ１１０に送る。この際に、着サブアドレスには、キャンプオン特番１５と内線番号２０００をつなげた（１５２０００）を設定しておく。それぞれ、呼設定受付（ＣＡＬＬ  ＰＲＯＣ１１１６ａ、１１１６ｂ）が返される。ＰＢＸ１１０からＰＳ１３０に、応答（ＣＯＮＮ  １１１８ｂ、１１１８ａ）が送られ、キャンプオンの登録処理１１０１が実行されると共にＰＳＴＮ１０６より応答確認ＣＯＮＮ  ＡＣＫ１１２０が返される。その後、キャンプオンの受付確認音１１２２がＰＢＸ１１０からＰＳ１３０に送られる。ＰＳ１３０はＰＢＸ１１０に、切断（ＤＩＳＣ１１２４ａ、１１２４ｂ）を送り、解放（ＲＥＬ１１２６ａ、１１２６ｂ）、解放確認（ＲＥＬ  ＣＯＭＰ１１２８ａ、１１２８ｂ）がＰＳ１３０とＰＢＸ１１０との間で交換される。
【００９６】
その後、内線電話機２０００の切断１１３０がＰＢＸ１１０に送られると、以下の処理を行う。ＰＢＸ１１０からＰＳ１３０に呼設定（ＳＥＴＵＰ１１３２ｂ、１１３２ａ）が送られる。それぞれ、呼設定受付（ＣＡＬＬ  ＰＲＯＣ１１３４ｂ、１１３４ａ）が返される。ＰＳ１３０からＰＢＸ１１０に呼出（ＡＬＥＲＴ１１３６ａ、１１３６ｂ）が送られる。その後ＰＳ１３０からＰＢＸ１１０に応答（ＣＯＮＮ１１３８ａ、１１３８ｂ）が送られる。ＰＢＸから内線電話機２０００に着信１１４０がなされる。ＰＢＸ１１０からＰＳ１３０に呼出中音１１４２が送られる。その後、内線電話機２０００が応答１１４４を返すと、内線電話機２０００とＰＳ１３０との通話が開始される（通話中１１５０）。
【００９７】
図１２は、ＰＳ１３０が話中の場合に、内線電話機からこのＰＳ１３０に対してキャンプオン（待ち合わせ）の登録を行う場合の実施形態である。
【００９８】
まず、内線電話機２０００から内線電話機３００１に対応するＰＳ１３０に発信があると、ＰＳ管理情報６１０でＰＳ１３０が通話中（ＳＴＡＴ６１６が「３」）であるため、内線電話機２０００に対して話中音を送出する。
【００９９】
これに対して、内線電話機からフッキング信号、及びキャンプオン特番１５が送信されると、ＰＢＸ１１０は内線電話機２０００からＰＳ１３０に対するキャンプオンの登録を行ない、内線電話機２０００に対してキャンプオンの受付確認音を送出し、内線電話機の利用者はこれを確認して呼を切断する。
【０１００】
その後、内線電話機３００１に対応するＰＳ１３０の呼が解放されると、解放された固定網回線トランクの回線番号から呼管理テーブルを用いて、解放された呼を検出し、このＣＤＮのＯ−ＰＳ、又はＴ−ＰＳにＰＳ１３０の内線番号に対応する３００１が設定されているため、ＰＳ管理情報６１０の内線電話機３００１に対応するＳＴＡＴ６１６が空き「０」になる。ＰＢＸ１１０は、キャンプオン登録中の内線番号の状態の空きを定期的に監視する処理を行う。この監視により、ＰＳ１３０の空きを検出した場合、まず、内線電話機（ＥＸ−ＴＥＬ）の呼び返しを行う。内線電話機がこの呼び返しに応答すると、ＰＳ１３０を呼出す。そして、ＰＳ１３０が応答すると、内線電話機２０００（ＥＸ−ＴＥＬ）とＰＳ１３０との接続が完了する。
【０１０１】
なお、内線番号（３００１）に対応するＰＳ管理情報６１０のＳＴＡＴ６１６は、呼出し中は、２（着信中）になり、応答後は、３（通話中）になる。
【０１０２】
図１２の詳細は以下の通りである。なお、以下の説明では、分かりやすさのためと重複した説明を避けるため、ＰＳ管理情報６１０と呼管理テーブル６３０の更新処理については省略する。
【０１０３】
ＰＳ１３０が話中である場合を想定する。まず内線電話機２０００からＰＢＸ１１０に発信１２０２がある。内線電話機２０００は、内線番号３００１をダイヤルする（１２０４）。内線番号３００１を持つＰＳ１３０は、話中であるため、ＰＢＸ１１０は、内線電話機２０００に対して、話中音１２０６を送る。内線電話機２０００がフッキング（１２０８）を行い、キャンプオン特番１５をダイヤルする。この時点で、ＰＢＸ１１０は、キャンプオン登録処理１２０１を行う。ＰＢＸ１２１２は、内線電話機２０００に、受信確認音１２１２を送る。内線電話機２０００は、切断を実行する（１２１４）。
【０１０４】
その後、ＰＳ１３０の話中が終了する処理が行われる。ＰＳ１３０から切断（ＤＩＳＣ１２１６ａ、１２１６ｂ）がＰＢＸ１１０に送られる。それぞれ、解放（ＲＥＬ１２１８ａ、１２１８ｂ）と解放完了（ＲＥＬ  ＣＯＭＰ１２２０ａ、１２２０ｂ）が交換される。この時点で、ＰＢＸ１１０は、ＰＳ１３０に係る呼が解放されたことを知る。そのため、内線電話機２０００は、ＰＢＸ１１０から、着信１２２２を受ける。内線電話機２０００が、応答する（１２２４）。この応答を契機として、ＰＢＸ１１０は、ＰＳ１３０に、呼設定（ＳＥＴＵＰ１２２６ｂ、１２２６ａ）を送る。それぞれ呼設定受付（ＣＡＬＬ  ＰＲＯＣ１２２８ｂ、１２２８ａ）が返される。そして、ＰＳ１３０からＰＢＸ１１０に呼出（ＡＬＥＲＴ１２３０ａ、１２３０ｂ）が送られる。そして、Ｐ−ＰＨＳ１０４から内線電話機２０００に呼出中音１２３２が送られる。そして、ＰＳ１３０からＰＢＸ１１０に応答（ＣＯＮＮ１２３４ａ、１２３４ｂ）が送られ。応答確認ＣＯＮＮ  ＡＣＫ１２３６が返されると、内線電話機２０００とＰＳ１３０との通話が開始される（通話中１２４０）。
【０１０５】
内線代表については、ＰＳ管理情報６１０のＨＴＧ６１９の情報と、ＳＴＡＴ６１６の情報を用いてもよい。同一の内線代表グループ内への着信に対して、着信内線が使用中の場合に、同一内線代表グループの他の内線に着信する処理を行うことができる。
【０１０６】
なお、内線電話機の内線代表グループの管理、及び内線代表の処理は、ＰＢＸが本来持っている基本的な機能（不図示）を用いて実現してもよい。
【０１０７】
図１３は、一実施形態の機能ブロック図を示している。この実施形態では、状態格納部１３０２、テーブル１３０４、判定部１３０６、付加サービス制御部１３０８を有する。
【０１０８】
呼の情報や、特番による指示（１３１０）が、状態格納部１３０２及び付加サービス制御部１３０８に入力されてもよい。状態格納部は、呼の情報や指示に基づき、公衆モバイル端末の状態や呼の状態を取得する。取得された情報は、テーブル１３０４を更新するために使用されてもよい。テーブル１３０４の具体例としては、図６に示されるＰＳ管理情報６１０及び呼管理テーブル６３０が挙げられるが、これらに限られるものではない。判定部１３０６は、例えば、接続されている公衆モバイル端末の発番号をチェックし、その公衆モバイル端末が内線番号を持つ端末か否かをチェックしてもよい。そして、内線番号を持つ公衆モバイル端末に係る処理についてだけ、本明細書で例示した付加機能を提供するようにしてもよい。また、ピックアップに係る処理において、ピックアップに関連する複数の端末が、同じピックアップグループに属するか否かをチェックしてもよい。また、上述のように内線代表ＨＴＧ６１９を用いて内線代表に係る処理の判断を行ってもよい。付加サービス制御部１３０８は、呼、指示１３１０、テーブル１３０４の情報、判定部１３０６の情報等に基づいて、例えば内線の付加サービスである、転送、保留／保留解除、ピックアップ、キャンプオン等のサービスを提供する。なお、サービスの種類は、これらに限定されるものではない。
【０１０９】
図１４は、一実施形態の処理フローを示している。
【０１１０】
図１４（Ａ）は、テーブル１３０４の更新の処理フローの例を示している。この処理フローは、呼の状態の変化や、特番による指示等の各種のイベントによって、割り込みにより開始されてもよい（１４０２）。
【０１１１】
ステップ１４０４では、例えばモバイル端末の状態が変化したかを判断する。判断結果が「はい」であれば、ステップ１４０６に移る。判断が「いいえ」であれば、ステップ１４０８に移る。
【０１１２】
ステップ１４０６では、テーブル１３０４の内容を更新する。例えば図６のＰＳ管理情報６１０のＳＴＡＴ６１８の状態を、６２０の対応表に基づいて更新してもよい。
【０１１３】
ステップ１４０８では、例えば呼の状態が変化したかを判断する。判断結果が「はい」であれば、ステップ１４１０に移る。判断結果が「いいえ」であれば、リターン（１４１２）する。
【０１１４】
ステップ１４１０では、テーブル１３０４の内容を更新する。例えば図６の呼管理テーブル６３０の内容を更新してもよい。
【０１１５】
図１４（Ｂ）は、付加サービス制御の処理のフローを示している。この処理フローは、呼の状態の変化や、特番による指示等の各種のイベントによって、割り込みにより開始されてもよい（１４５２）。
【０１１６】
ステップ１４５３では、例えば、接続されている公衆モバイル端末の発番号をチェックし、その公衆モバイル端末が内線番号を持つ端末か否かをチェックしてもよい。そして、内線番号を持つ公衆モバイル端末に係る処理についてだけ、本明細書で例示した付加機能を提供するようにステップ１４５４に指示してもよい。また、ピックアップに係る処理において、ピックアップに関連する複数の端末が、同じピックアップグループに属するか否かをチェックしてもよい。また、上述のように内線代表ＨＴＧ６１９を用いて内線代表に係る処理の判定を行ってもよい。これらの判定結果は、ステップ１４５４に渡される。
【０１１７】
ステップ１４５４では、例えば内線の付加サービスである、転送、保留／保留解除、ピックアップ、キャンプオン等のサービスの提供のための処理がなされる。なお、具体的な処理の内容は、例えば図６ないし図１２のシーケンスを用いて既に説明した通りである。なお、図６ないし図１２のシーケンスは、例示であって、矛盾のない限り、シーケンスの順番を変更してもよい。また、同様の機能を実現するために、他のシーケンスが採用されてもよいことは言うまでもない。
【０１１８】
上記の複数の実施形態の少なくとも１つによれば、公衆モバイル端末、及び移動通信事業者網の機能追加を行わなくてもよい。そして、公衆モバイル端末に関して、ＰＢＸ１１０の付加サービスが利用可能になる。このため、事務所内に自営ＰＨＳ等の設備（アンテナ、送受信機等）が不要になり、コスト削減が可能になる。加えて、公衆モバイル端末、及びＰＢＸ１１０の内線の利用者のサービスを向上させることができる。
【０１１９】
以上の説明において、ＰＳ管理情報６１０及び呼管理テーブル６３２は、何れもテーブル形式で記憶部に格納されてもよい。なお、説明の便宜上、図６においては２つのテーブルに分けて説明したが、テーブルは、更に分割されてもよく、または、１つにまとめてもよい。また、これらのテーブルの情報が、記憶部内で、テーブルの形式を保っていなくてもよいことは言うまでもない。
【０１２０】
また、本発明の各種実施形態の動作を、特定の発信元や、特定の発信元のグループに限って実現してもよい。
【０１２１】
図１５は、一実施形態のハードウェアの構成例を示す図である。ハードウェアは、プロセッサ１５０２、メモリ１５０４、表示制御部１５０６、表示装置１５０８、入出力装置１５１０、通信制御部１５１２、ドライブ装置１５１４、ハードディスク１５１８が含まれる。そして、それぞれの機器は、バス１５２０によって接続されている。また、ドライブ装置１５１４は、可搬記録媒体１５１６を読み書きすることができる。そして通信制御部１５１２には、ネットワーク（不図示）が接続されてもよい。ハードディスク１５１８及び／又はメモリ１５０４には、プログラムのソース及び、ソースに関連する世代等の管理情報が格納されてもよい。
【０１２２】
一実施形態におけるプログラムの一部又は全部は、メモリ１５０４、ハードディスク１５１８等に格納され、プロセッサ１５０２によって、動作してもよい。
【０１２３】
なお、本実施形態の全部又は一部はプログラムによってインプリメントされ得る。このプログラムは、可搬記録媒体１５１６に格納することができる。可搬記録媒体１５１６とは、構造（ｓｔｒｕｃｔｕｒｅ）を有する１つ以上の非一時的（ｎｏｎ−ｔｒａｎｓｉｔｏｒｙ）な記憶媒体を言う。例示として、可搬記録媒体１５１６としては、磁気記録媒体、光ディスク、光磁気記録媒体、不揮発性メモリなどがある。磁気記録媒体には、ＨＤＤ、フレキシブルディスク（ＦＤ）、磁気テープ（ＭＴ）などがある。光ディスクには、ＤＶＤ（Ｄｉｇｉｔａｌ  Ｖｅｒｓａｔｉｌｅ  Ｄｉｓｃ）、ＤＶＤ−ＲＡＭ、ＣＤ−ＲＯＭ（Ｃｏｍｐａｃｔ  Ｄｉｓｃ−Ｒｅａｄ  Ｏｎｌｙ  Ｍｅｍｏｒｙ）、ＣＤ−Ｒ（Ｒｅｃｏｒｄａｂｌｅ）／ＲＷ（ＲｅＷｒｉｔａｂｌｅ）などがある。また、光磁気記録媒体には、ＭＯ（Ｍａｇｎｅｔｏ−Ｏｐｔｉｃａｌ  ｄｉｓｋ）などがある。可搬型記録媒体に格納されたプログラムが読み込まれ、プロセッサによって実行されることにより、本発明の実施形態の全部又は一部が実施され得る。
【０１２４】
以上、図面を用いて本発明の実施形態を詳細に説明した。なお、上述の実施形態は、発明を理解するためのものであり、本発明の範囲を限定するためのものではない点に留意すべきである。また、上述の複数の実施形態は、相互に排他的なものではない。したがって、矛盾が生じない限り、異なる実施形態の各要素を組み合わせることも意図されていることに留意すべきである。また、請求項に記載された方法やプログラムに係る発明は、矛盾のない限り処理の順番を入れ替えてもよく、あるいは、複数の処理を同時に実行してもよい。そして、これらの実施形態も、請求項に記載された発明の技術的範囲に包含されることは言うまでもない。
【０１２５】
また、コンピュータが読み出したプログラムコードを実行することにより、上述の実施形態の機能が実現されるだけでなく、そのプログラムコードの指示に基づき、コンピュータ上で稼働しているＯＳ、仮想マシンモニタＶＭＭ、ファームウエア、ＢＩＯＳなどのプログラムが実際の処理の一部または全部を行ない、その処理によって実施形態の機能が実現される場合も、本発明に含まれることは言うまでもない。
【０１２６】
また、本発明の各種実施形態のそれぞれの構成要素は、物理的に分離された複数のハードウェアで実現されてもよい。また、本発明の各種実施形態のそれぞれの構成要素は、１つ以上のサーバ上で動作することによって実現されてもよい。また、本発明に係るプログラムを実行するＣＰＵは複数であってもよく、また、各ＣＰＵは複数のコアを含んでいてもよい。
【０１２７】
以上の実施形態について、以下の付記を開示する。
（付記１）
移動通信事業者網を経由して公衆モバイル端末に接続可能な発着信制御装置であって、
テーブルに、前記公衆モバイル端末の状態及び呼の状態を格納する状態格納部であって、前記テーブルは、前記公衆モバイル端末の加入者番号に、前記公衆モバイル端末の状態と、内線番号との対応付け、及び呼と前記内線番号との対応付けを有する情報を含む、状態格納部と、
前記テーブルに格納された情報に基づいて、前記移動通信事業者網を経由して当該発着信制御装置に接続された前記公衆モバイル端末に関連した、内線に係る付加サービスを制御する付加サービス制御部と、
を有する発着信制御装置。
（付記２）
前記公衆モバイル端末の加入者番号と、前記テーブルに格納された加入者番号とを比較し、前記テーブルに一致する加入者番号が存在するか否かを判定する判定部、を更に有し、
前記付加サービス制御部は、前記判定部で一致が確認された場合、前記付加サービスの提供のための制御を実行する、
付記１記載の発着信制御装置。
（付記３）
前記付加サービス制御部は、前記公衆モバイル端末又は当該発着信制御装置に接続された内線電話から送られた制御情報に基づき、前記付加サービスを制御する、
付記１又は２記載の発着信制御装置。
（付記４）
前記付加サービス制御部は、前記公衆モバイル端末が呼を切断した場合であって、前記テーブルを参照して前記公衆モバイル端末が内線を持つ端末であることを示す場合、前記公衆モバイル端末に接続された他の端末と当該発着信制御装置との接続を所定の期間切断せずに保留中とする、付記３記載の発着信制御装置。
（付記５）
前記付加サービス制御部は、前記保留中に、前記呼を切断した前記公衆モバイル端末から、保留解除の前記制御情報を受信した場合、前記テーブルの情報に基づいて、前記他の端末を特定し、前記呼を切断した前記公衆モバイル端末と、前記他の端末との接続を復元する、
付記４記載の発着信制御装置。
（付記６）
前記付加サービス制御部は、前記保留中に、前記呼を切断した前記公衆モバイル端末から、転送および転送先に関する前記制御情報を受信した場合、前記転送先との呼を設定し、前記テーブルの情報に基づいて、前記保留中の接続を前記転送先と接続する、
付記４記載の発着信制御装置。
（付記７）
前記付加サービス制御部は、前記制御情報が、ピックアップを指示する場合、前記テーブルの情報に基づいて、前記ピックアップを指示した端末に、着信中の呼を設定し、前記呼の設定は、前記テーブルにピックアップのグループが設定されている場合には、前記着信中の呼の呼び出し先の端末のグループと、前記ピックアップを指示した端末のグループが一致する場合に許可される、
付記４記載の発着信制御装置。
（付記８）
前記付加サービス制御部は、前記制御情報が、キャンプオンを指示する場合、前記テーブルの情報に基づいて、前記キャンプオンを指示した端末と、キャンプオンの対象の端末とを接続する、
付記４記載の発着信制御装置。
（付記９）
移動通信事業者網を経由して公衆モバイル端末に接続を可能とする発着信制御のための方法であって、
テーブルに、前記公衆モバイル端末の状態及び呼の状態を格納する段階であって、前記テーブルは、前記公衆モバイル端末の加入者番号に、前記公衆モバイル端末の状態と、内線番号との対応付け、及び呼と前記内線番号との対応付けを有する情報を含む、段階と、
前記テーブルに格納された情報に基づいて、前記移動通信事業者網を経由して発着信制御装置に接続された前記公衆モバイル端末に関連した、内線に係る付加サービスを制御する段階と、
を有する発着信制御のための方法。
（付記１０）
前記公衆モバイル端末の加入者番号と、前記テーブルに格納された加入者番号とを比較し、前記テーブルに一致する加入者番号が存在するか否かを判定する段階、を更に有し、
前記付加サービスを制御する段階は、前記判定する段階で一致が確認された場合、前記付加サービスの提供のための制御を実行する、
付記９記載の発着信制御のための方法。
（付記１１）
前記付加サービスを制御する段階は、前記公衆モバイル端末又は当該発着信制御装置に接続された内線電話から送られた制御情報に基づき、前記付加サービスを制御する、
付記９又は１０記載の発着信制御のための方法。
（付記１２）
前記付加サービスを制御する段階は、前記公衆モバイル端末が呼を切断した場合であって、前記テーブルを参照して前記公衆モバイル端末が内線を持つ端末であることを示す場合、前記公衆モバイル端末に接続された他の端末と当該発着信制御のための方法との接続を所定の期間切断せずに保留中とする、付記１１記載の発着信制御のための方法。
（付記１３）
前記付加サービスを制御する段階は、前記保留中に、前記呼を切断した前記公衆モバイル端末から、保留解除の前記制御情報を受信した場合、前記テーブルの情報に基づいて、前記他の端末を特定し、前記呼を切断した前記公衆モバイル端末と、前記他の端末との接続を復元する、
付記１２記載の発着信制御のための方法。
（付記１４）
前記付加サービスを制御する段階は、前記保留中に、前記呼を切断した前記公衆モバイル端末から、転送および転送先に関する前記制御情報を受信した場合、前記転送先との呼を設定し、前記テーブルの情報に基づいて、前記保留中の接続を前記転送先と接続する、
付記１２記載の発着信制御のための方法。
（付記１５）
前記付加サービスを制御する段階は、前記制御情報が、ピックアップを指示する場合、前記テーブルの情報に基づいて、前記ピックアップを指示した端末に、着信中の呼を設定し、前記呼の設定は、前記テーブルにピックアップのグループが設定されている場合には、前記着信中の呼の呼び出し先の端末のグループと、前記ピックアップを指示した端末のグループが一致する場合に許可される、
付記１２記載の発着信制御のための方法。
（付記１６）
前記付加サービスを制御する段階は、前記制御情報が、キャンプオンを指示する場合、前記テーブルの情報に基づいて、前記キャンプオンを指示した端末と、キャンプオンの対象の端末とを接続する、
付記１２記載の発着信制御のための方法。
（付記１７）
移動通信事業者網を経由して公衆モバイル端末に接続を可能とする発着信制御のためのプログラムであって、
テーブルに、前記公衆モバイル端末の状態及び呼の状態を格納し、前記テーブルは、前記公衆モバイル端末の加入者番号に、前記公衆モバイル端末の状態と、内線番号との対応付け、及び呼と前記内線番号との対応付けを有する情報を含み、
前記テーブルに格納された情報に基づいて、前記移動通信事業者網を経由して発着信制御装置に接続された前記公衆モバイル端末に関連した、内線に係る付加サービスを制御する、
処理をコンピュータに実行させるプログラム。
（付記１８）
前記公衆モバイル端末の加入者番号と、前記テーブルに格納された加入者番号とを比較し、前記テーブルに一致する加入者番号が存在するか否かを判定する処理、を更にコンピュータに実行させるプログラムであって、
前記付加サービスを制御する処理は、前記判定する処理で一致が確認された場合、前記付加サービスの提供のための制御を実行する、
付記１７記載のプログラム。
（付記１９）
前記付加サービスを制御する処理は、前記公衆モバイル端末又は当該発着信制御装置に接続された内線電話から送られた制御情報に基づき、前記付加サービスを制御する、
付記１７又は１８記載の発着信制御のための方法。
（付記２０）
前記付加サービスを制御する処理は、前記公衆モバイル端末が呼を切断した場合であって、前記テーブルを参照して前記公衆モバイル端末が内線を持つ端末であることを示す場合、前記公衆モバイル端末に接続された他の端末と当該発着信制御のための方法との接続を所定の期間切断せずに保留中とする、付記１９記載のプログラム。
（付記２１）
前記付加サービスを制御する処理は、前記保留中に、前記呼を切断した前記公衆モバイル端末から、保留解除の前記制御情報を受信した場合、前記テーブルの情報に基づいて、前記他の端末を特定し、前記呼を切断した前記公衆モバイル端末と、前記他の端末との接続を復元する、
付記２０記載のプログラム。
（付記２２）
前記付加サービスを制御する処理は、前記保留中に、前記呼を切断した前記公衆モバイル端末から、転送および転送先に関する前記制御情報を受信した場合、前記転送先との呼を設定し、前記テーブルの情報に基づいて、前記保留中の接続を前記転送先と接続する、
付記２０記載のプログラム。
（付記２３）
前記付加サービスを制御する処理は、前記制御情報が、ピックアップを指示する場合、前記テーブルの情報に基づいて、前記ピックアップを指示した端末に、着信中の呼を設定し、前記呼の設定は、前記テーブルにピックアップのグループが設定されている場合には、前記着信中の呼の呼び出し先の端末のグループと、前記ピックアップを指示した端末のグループが一致する場合に許可される、
付記２０記載のプログラム。
（付記２４）
前記付加サービスを制御する処理は、前記制御情報が、キャンプオンを指示する場合、前記テーブルの情報に基づいて、前記キャンプオンを指示した端末と、キャンプオンの対象の端末とを接続する、
付記２０記載のプログラム。
【符号の説明】
【０１２８】
１０２  基地局
１０４  公衆ＰＨＳ網
１０６  固定公衆網
１０８  外線電話
１１０  ＰＢＸ
１２０  内線電話機
１３０  ＰＨＳ端末
【図１】
2014120976.tif 000003
【図２】
2014120976.tif 000004
【図３】
2014120976.tif 000005
【図４】
2014120976.tif 000006
【図５】
2014120976.tif 000007
【図６】
2014120976.tif 000008
【図７】
2014120976.tif 000009
【図８】
2014120976.tif 000010
【図９】
2014120976.tif 000011
【図１０】
2014120976.tif 000012
【図１１】
2014120976.tif 000013
【図１２】
2014120976.tif 000014
【図１３】
2014120976.tif 000015
【図１４】
2014120976.tif 000016
【図１５】
2014120976.tif 000017